(57)【要約】【課題】映像の拡大リサイズにおいて、従来行われている線形補間方法ではエッジのボケ（鈍り）やギザギザが生じてしまい、これを回避するための手法は計算量が多く、実現しにくい。【解決手段】水平方向、垂直方向のエッジ検出の結果比較を行い、連続性があると判断した画素については、その連続した画素同士のフィルタリングによって線形補間による拡大処理でギザギザになってしまう斜め線についてはスムーズな拡大画像を得ることができる。また、連続する画素数や映像を構成する周波数成分の割合によってフィルタタップ数を変動することにより、フィルタ特性の選択自由度が増加し、最適なフィルタ特性を得ることができる。【選択図】図１
2008271085.tif 000002
【特許請求の範囲】
【請求項１】
入力された映像信号の輝度レベルから画像の輝度変化部分を検出するエッジ抽出回路と、
少なくとも前記エッジ抽出回路により抽出した輝度変化部分に対して、輝度変化量に応じた第１の輝度値を割当てるパターン化回路と、
前記入力された映像信号に画素を追加することにより画像を拡大し、追加された画素に対して、前記第１の輝度値から算出した第２の輝度値を配分する補間回路と、
前記第１と第２の輝度値に基づいて、垂直水平方向及び斜め方向の画素との関連性を検出する検出回路と、
前記補間回路により追加された画素に対して、垂直方向又は水平方向の画素を用いて線形補間を行う拡大回路と、
前記補間回路により追加された画素に対して、斜め方向の画素を用いて線形補間を行う斜め拡大回路とを備え、
前記検出回路の結果に基づいて、前記拡大回路と斜め拡大回路のいずれかにより前記補間回路により追加された画素の線形補間を行うことを特徴とする映像スケーリング装置。
【請求項２】
前記検出回路において、注目画素の垂直水平方向及び斜め方向における隣接画素が前記補間回路により追加された画素の場合には、次に垂直水平方向及び斜め方向における隣接画素である入力された映像信号の画素の第１の輝度値と比較することを特徴とする請求項１記載の映像スケーリング装置。
【請求項３】
前記映像スケーリング装置は、さらに、所定フレームごとの前記エッジ抽出回路により抽出された輝度変化部分の所定周波数ごとに累積する積分回路を備え、
前記積分回路により累積された所定周波数ごとの分布に基づいて、前記拡大回路及び斜め拡大回路のタップ数を変更することを特徴とする請求項１又は２に記載の映像スケーリング装置。
【請求項４】
標本化されたデジタル映像信号を表示システムにあわせて拡大スケーリングする際に、その映像信号の水平方向と垂直方向のエッジ成分を抽出し、周辺画素とのエッジパターン、エッジの輝度レベル差によって映像の連続性を検出し、隣り合った画素の連続画素数と連続方向から、スケーリングフィルタに使用する画素を選択して行う映像スケーリング装置。
【請求項５】
１画面中にあるエッジを閾値で区切った周波数毎に集計し、高周波数部分の多い画像に対しては少タップフィルタ、低周波数部分の多い画像に対しては多タップフィルタを用い、同時にフィルタ係数をそれぞれ選択することでフィルタリングを行う請求項４に記載の映像スケーリング装置。
【請求項６】
検出したエッジ成分が連続している画素数毎に、フィルタのタップ数及び係数を切り替えることによって、より相関の高い画素同士のフィルタを形成することができる請求項４又は５に記載の映像スケーリング装置。
【発明の詳細な説明】
【技術分野】
【０００１】
本発明は、デジタル表示ディスプレイに対して、その表示画素数よりも小さな標本化数のデジタル映像信号を表示画素数まで拡大して表示するために行う映像信号拡大スケーリング処理に関するものである。
【背景技術】
【０００２】
従来、デジタル映像のスケーリング方法または手法として、画素間補間の方法としては線形補間方法、バイキュービック法などが一般的にある。これらは周辺の画素から一様に補間フィルタで処理された画素を元画素間に追加していく方法である。これらは比較的処理量が少ないため、動画のリアルタイムの画像処理に適しているが、拡大画像がぼけたり、斜め線がギザギザに見えてしまう特徴がある。
【０００３】
また、標本化された映像信号の標本前の高周波数成分を予測して画素間補間を行うＤＣＴ係数、ウェーブレット係数、ラプラシアンピラミッドに基づいた画像拡大手法も提案されているが、これらは処理量が多い為、動画のリアルタイムな画像処理装置には比較的向いていないと言える。
【特許文献１】特許第３８１５５１４号公報
【特許文献２】特開２００５−１３５４１０号公報
【発明の開示】
【発明が解決しようとする課題】
【０００４】
上記従来技術では、動画像のリアルタイム処理をするためには処理後の拡大画像のボケ（エッジ鈍り）やギザギザ（段差）が課題となる。
【０００５】
そこで本発明では画像のエッジ部の連続性を検出し、連続した相関性の高い画素間でフィルタリングを行うことにより、拡大後画像のギザギザ（段差）を低減する。また、相関の高い画素の連続画素数によってフィルタのタップ数と係数を切り替えることにより、処理後画像のボケ感を低減することができる。
【課題を解決するための手段】
【０００６】
上記課題を解決するために本発明の映像スケーリング装置は、拡大前の画像輝度信号から水平方向、垂直方向に閾値よりも大きな輝度レベル差を持った特定周波数成分を分離する周波数検出装置と、ある画素のエッジ成分と周辺画素の水平・垂直・斜め方向との相関の高さを検出する画素比較装置と、画像拡大の補間画素を作り出すフィルタ装置をデジタル映像輝度信号に対して、水平方向・垂直方向のエッジ部を検出し、検出された画素とその周辺画素との相関の高さを比較することで、より相関性の高い画素同士から画像拡大時に補間される画素を作り出す事を可能とする。
【０００７】
また、本発明は１画像全体の周波数成分の集計結果から、拡大フィルタに使用するフィルタ特性（フィルタタップ数とフィルタ係数）を切り替えることによって、拡大前画像の周波数特性に適した拡大方法を選択することができる。
【０００８】
また、本発明は１画像内においてエッジの連続画素数によって拡大フィルタに使用するフィルタ特性（フィルタタップ数とフィルタ係数）を切り替えることにより、画像の部分的な周波数特性に対応し、相関の高い画素のみを選択して画像拡大時に補間される画素を作り出すことを可能とする。
【発明の効果】
【０００９】
以上のように本発明の映像スケーリング装置によれば、拡大率の増加と共に目立ってしまう映像のエッジ部分のギザギザ（段差）を、連続するエッジ成分を検出することによって相関の高い画素同士のフィルタリングを行い拡大処理をすることで低減し、エッジ部分を拡大することで発生するボケ（エッジの鈍り）は、１画面の映像を構成する周波数に応じて適応的にフィルタタップ数を変化させることにより、低い周波数成分の多いでは多タップフィルタを用いてエッジ鈍りを生じさせにくい特性のフィルタを選択することができる。また、そのために高い周波数成分の多い画面ではフィルタのタップ数を少なくし、相関性のない画素同士のフィルタ処理が起こりにくくする。
【００１０】
また、上記１画面を構成する周波数に応じて適応的にフィルタタップ数を変動させる代わりに、１画素毎に相関性の高い画素数に応じてフィルタタップ数を変化させることにより、相関のない画素同士のフィルタ処理を起こりにくくする。
【発明を実施するための最良の形態】
【００１１】
次に、本発明に係る映像スケーリング装置の一実施の形態について、図面を参照して詳細に説明する。
【００１２】
（実施の形態１）
以下に発明の実施の形態１について図１から６を用いて説明する。図１は本発明の実施の形態１におけるエッジ方向検出装置及び方法のブロック図を示す。
【００１３】
図１において、１は入力輝度信号に水平方向のフィルタ、微分回路等を用いてエッジ成分を抽出する水平エッジ成分抽出水平フィルタ、２は入力輝度信号に垂直方向のフィルタ、微分回路等を用いて垂直のエッジ成分を抽出する垂直エッジ成分抽出垂直フィルタ、３は１で検出した水平方向のエッジ成分に輝度レベルに応じたパターン番号を割り当てる水平方向エッジパターン化装置、４は２で検出した垂直方向のエッジ成分に輝度レベルに応じたパターン番号を割り当てる垂直エッジパターン化装置である。
【００１４】
なお、上述した水平エッジ成分抽出水平フィルタ１、垂直エッジ成分抽出垂直フィルタ２、水平方向エッジパターン化装置３、垂直方向エッジパターン化装置４は、画素ごとに処理を行っても良く、また複数の画素ごとに処理を行うことも可能である。
【００１５】
さらに、５は水平方向エッジパターン化装置３と垂直方向エッジパターン化装置４で割り当てられたパターン番号に基づいて、拡大処理で補間される画素に対して線形補間にて補間処理を行う、補間画素のエッジ情報補間装置であり、６は、５で行った補間画素へのエッジ番号拡大（エッジ情報補間）で割り当てられた補間画素のパターン番号に基づいて、水平方向もしくは垂直方向に隣接する画素以外の斜め方向に連続する可能性のあるパターン番号のついた画素の周辺画素のパターン番号を調査し、関連性の高いパターン番号がついている方向を検出する周辺対象画素調査装置である。
【００１６】
なお、上述した補間画素の水平エッジ成分抽出水平フィルタ１、垂直エッジ成分抽出垂直フィルタ２、水平方向エッジパターン化装置３、垂直方向エッジパターン化装置４、エッジ情報補間装置５、周辺対象画素調査装置６の処理においては、水平方向及び垂直方向ごとにパターン番号を付与する構成としているが、本願発明はこれに限定されるものではなく、所定の垂直方向、水平方向ごとにパターン番号を付与する構成とすることも可能である。
【００１７】
また、７は水平同期信号、垂直同期信号を入力し、同期信号を基準として映像拡大の補間画素挿入位置を決定する水平拡大／垂直拡大補間位置生成装置であり、８は水平方向に拡大する補間画素に、水平方向に隣接する画素とのフィルタリングにより補間画素を作成し挿入する水平フィルタ装置である。
【００１８】
また、９は垂直方向に拡大する補間画素に、垂直方向に隣接する画素とのフィルタリングにより補間画素を作成し挿入する垂直フィルタ装置であり、１０は７で選択されたフィルタ構成画素により補間画素を作成し挿入する斜め方向フィルタ装置であり、１１は水平拡大フィルタ８，垂直拡大フィルタ９，斜め方向拡大フィルタ１０より出力された画素を選択し、補間画素として出力するセレクタ装置である。
【００１９】
このような構成による映像スケーリング装置の動作について、図２から図６を参照しながら以下に説明する。
【００２０】
まず、１の水平エッジ成分抽出水平フィルタ装置に入力された輝度信号は、水平方向のフィルタによって任意の周波数成分のみが抽出される。この水平エッジ成分抽出水平フィルタ装置のフィルタの特性は、任意の値に設定可能であるが、１０の斜め方向拡大フィルタの特性を鑑みて、処理可能な周波数帯域を通すフィルタ特性とする。
【００２１】
上述したフィルタを通った輝度信号は、任意の水平方向の画素数を用いた微分装置を通り、エッジ成分が抽出される。エッジ成分はさらに任意の閾値を設けて、エッジの最低輝度レベルとエッジの最高輝度レベルの差分値が前述の閾値以上である場合を抽出してエッジ成分と定義してもよい。
【００２２】
同様に、２の垂直エッジ成分抽出垂直フィルタ装置に入力された輝度信号は、垂直方向のフィルタによって任意の周波数成分のみが抽出される。この垂直エッジ成分抽出垂直フィルタ装置のフィルタの特性は、任意の値に設定可能であるが、１０の斜め方向拡大フィルタの特性を鑑みて、処理可能な周波数帯域を通す特性とする。
【００２３】
この場合も水平エッジ成分抽出水平フィルタ装置と同様に、上述した上述したフィルタを通った輝度信号は、任意の垂直方向の画素数を用いた微分装置を通り、エッジ成分が抽出される。エッジ成分はさらに任意の閾値を設けて、エッジの最低輝度レベルとエッジの最高輝度レベルの差分値が前述の閾値以上である場合を抽出してエッジ成分と定義してもよい。
【００２４】
次に、１の水平エッジ成分抽出水平フィルタの出力は３の水平方向エッジパターン化装置に入力される。３の水平方向エッジパターン化装置では、例えば、入力されたエッジ成分について、周辺の水平方向の一定画素数中の平均輝度レベルよりも低い輝度の成分をマイナスで表し、高い輝度成分をプラスで表す事とし、図２のように、任意の閾値をもって・・・−３、−２、−１、１、２、３・・・といった数値でパターン化を行う。
【００２５】
同様に、２の垂直エッジ成分抽出垂直フィルタの出力は４の垂直方向エッジパターン化装置に入力される。４の垂直方向エッジパターン化装置では、３と同様な動作を垂直方向に行う。例えば入力されたエッジ成分の輝度がその周辺の垂直方向の一定画素数中の平均輝度レベルよりも低い輝度の成分をマイナスで表し、高い輝度成分をプラスで表す事とし、図２のように、任意の閾値をもって・・・−３、−２、−１、１、２、３・・・といった数値でパターン化を行う。
【００２６】
次に、３の水平方向エッジパターン化装置の出力と４の垂直方向エッジパターン化装置の出力は５の補間画素のエッジ情報補間装置に入力される。この５の補間画素のエッジ情報補間装置の動作を図３〜５によって説明する。なお、水平方向エッジパターン化装置３，垂直方向エッジパターン化装置４の出力は説明の簡単化の為−１、０、＋１とする。−１は注目画素を含めた周辺２画素の平均値を０とした時に、それよりも小さい輝度レベルとし、＋１は大きい輝度レベルとする。
【００２７】
このように設定すると、図３に示すように、黒（デジタル値０）白（デジタル値２５５）の輝度レベルをあわせ持ったエッジ部分の映像は、垂直・水平方向のパターン化結果を〔０，０〕、〔０，−１〕、〔０，＋１〕、〔＋１，＋１〕、〔−１，−１〕という様に表すことができる。なお、上記の〔Ｘ，Ｙ〕におけるＸは、垂直成分の輝度レベルを示しており、一方、Ｙは、水平成分の輝度レベルを示しており、格子部分が黒色を示しており、一方、無色部分が白色を示している。
【００２８】
さらに垂直方向に６／５画素拡大、水平方向に６／５画素拡大する場合、図４のようにフィルタをかけて黒白パターンを作成するのが理想的である。そこで、７の水平拡大・垂直拡大補間位置生成装置で水平同期信号を基準として水平拡大率に応じた水平補間画素位置を決定し、垂直拡大率に応じた垂直補間画素位置を決定した後、その補間画素が挿入される画素に対して以下の動作を行う。なお、上記の〔Ｘ，Ｙ〕におけるＸは、垂直成分の輝度レベルを示しており、一方、Ｙは、水平成分の輝度レベルを示しており、格子部分が黒色を示しており、一方、無色部分が白色を示しており、破線でかこまれた部分が補間画素を挿入する位置を示している。
【００２９】
５の補間画素のエッジ情報補間装置では、垂直・水平方向それぞれ６／５画素拡大、つまり垂直方向に１画素、水平方向に１画素拡大する場合、垂直方向には補間画素の上の画素のパターン値から下の画素のパターン値を引いた数を、水平方向には補間画素の左の画素のパターン値から右の画素のパターン値を引いた数値を補間画素のパターン値として出力する。以下前記値を補間画素パターンとする。例えば、垂直方向において補間画素の上の画素が〔０，−１〕であり、補間画素の下の画素が〔０，０〕の場合には、〔０，−１〕を補間画素のパターン値として出力し、垂直方向において補間画素の上の画素が〔＋１，＋１〕であり、補間画素の下の画素が〔−１，−１〕の場合には、〔２，２〕を補間画素のパターン値として出力する。このような処理を行った結果を図５に示す。
【００３０】
ここで、この補間画素パターンの値は、入力された映像信号の輝度を示す水平方向エッジパターン化装置３及び垂直方向エッジパターン化装置４からなるパターン化装置の出力とは違う意味を持った数値となっている。
【００３１】
なお、上記の〔Ｘ，Ｙ〕におけるＸは、垂直成分の輝度レベルを示しており、一方、Ｙは、水平成分の輝度レベルを示しており、格子部分が黒色を示しており、一方、無色部分が白色を示しており、点線部分は補間画素が挿入された画素を示している。
【００３２】
次に、５の補間画素のエッジ情報補間装置の出力は６の周辺対象画素調査装置に入力される。６の周辺対象調査装置では、例えば補間画素の垂直方向か水平方向に−２以下もしくは＋２以上の補間画素パターンを持った画素について、周辺画素とのエッジの連続性を調査する。さらに、上記補間画素で−２より大きく＋２未満の補間画素パターンを持った画素については、検出信号として、たとえば“０”を６の周辺対象調査装置から出力し、−２以下、＋２以上の補間画素パターンを持った画素については検出信号として“１”を出力する。
【００３３】
なお、本実施の形態においては、説明の簡単化のために水平方向エッジパターン化装置３，垂直方向エッジパターン化装置４の出力は説明の簡単化の為−１、０、＋１としたため、補間画素で−２より大きく＋２未満の補間画素パターンを持った画素の検出信号を０とし、−２以下、＋２以上の補間画素パターンを持った画素の検出信号を１としたが、本願発明はこれに限定されるものではなく、２種類以上の数字を検出信号として出力することも可能である。
【００３４】
ここで、調査する方向は、隣接する右と左の画素、上と下の画素、右斜め上の画素と左下の画素、左上の画素と右下の画素であり、そのエッジパターンの値が同じ組み合わせ、もしくは近いパターン番号値の組み合わせがあれば、連続性があるとしてその組み合わせの画素を選択する。
【００３５】
また、隣接する画素がまた補間画素という場合である図６（ａ）の画素（ａ−１）がある場合は、その延長上にある画素との組み合わせでパターン値が同じ組み合わせがあるかを調査する。この時、図６の（ａ）の注目画素（点線で囲っている画素）に対して、拡大前の右下は（ａ‐２）になるが、本発明では拡大後の右下画素（ａ−１）を右下画素とし、その延長上にある画素として（ａ−３）を右下画素として左上の画素（ａ−４）との組み合わせでパターン番号を比較し、同じパターン番号もしくは近いパターン番号値の組み合わせであればエッジに連続性があるとしてその組み合わせの画素を選択する。
【００３６】
また、水平方向の補間画素と垂直方向の補間画素が重なる図６〔ｂ〕の注目画素（点線で囲っている画素）の場合は、右上と左下の画素、左上と右下の画素のパターン番号から同じパターン番号の組み合わせもしくは近いパターン番号の組み合わせを選択する。しかし、パターン番号の組み合わせで同じもしくは近いものがなかった場合、なかった場合は検出信号に“０”を出力する。
【００３７】
次に水平拡大フィルタ８には輝度信号を入力し、７の水平拡大補間位置生成装置の出力に応じて線形補間などを用いた水平補間を行う。また、９は輝度信号を入力し７の水平拡大補間位置生成装置の出力に応じて線形補間などを用いた垂直補間を行う。
【００３８】
さらに、本願発明においては、上述した水平方向及び垂直方向の補間に加えて、周辺対象画素調査６の検出信号が“１”の補間画素に対しては６で選択された組み合わせの画素を使って１０の斜め方向拡大フィルタにより線形補間などを用いた斜め方向補間を行う。
【００３９】
水平拡大フィルタ８，垂直拡大フィルタ９，斜め方向拡大フィルタ１０から出力された補間信号と輝度信号はセレクタ１１で選択され出力する。この時セレクタ１１は、６の検出信号出力が“１”であれば斜め方向拡大フィルタ１０の出力を選択し、それ以外の画素については水平拡大補間位置生成装置７によって水平方向の補間画素とした画素は水平拡大フィルタ８の出力を選択、垂直拡大補間位置生成装置７によって垂直の補間画素とした画素は垂直拡大フィルタ９の出力を選択して出力する。
【００４０】
また従来の拡大フィルタは、補間画素だけではなく、すべての画素に対して拡大後の画素位置に応じた重み付けをもったフィルタをかけることが一般的であり、本発明においても全画素を補間画素とみなし、補間画素のエッジ情報補間装置５と周辺対象画素調査６によってエッジの連続性が高い画素を選択して斜め方向の拡大処理を行うことも可能である。
【００４１】
これにより、デジタル映像輝度信号に対して、水平方向・垂直方向のエッジ部を検出し、検出された画素とその周辺画素との相関の高さを比較することで、より相関性の高い画素同士から画像拡大時に補間される画素を作り出す事を可能とするものである。
【００４２】
（実施の形態２）
次に発明の実施の形態２について図７を用いて説明する。図７の１〜７、１１は実施の形態１で使用されたものと同じ構成であり同じ動作を行うため説明を省略する。ここで、実施の形態２は実施の形態１に加えて、周波数成分積分装置１２を備えている点が異なる。
【００４３】
ここで、この周波数成分積分装置１２は、水平エッジ成分抽出水平フィルタ１及び垂直エッジ成分抽出垂直フィルタ２で抽出されたエッジ成分の周波数を、所定の閾値で分割し、その画素数を周波数帯域ごとに１画面分積分する周波数成分積分装置である。
【００４４】
周波数成分積分装置１２で帯域の低い成分が多かった画面では、８の水平拡大フィルタ、９の垂直拡大フィルタ、１１の斜め方向拡大フィルタのタップ数を増やすことにより、多タップフィルタとし、フィルタ特性の選択肢を広げることができる。
また、周波数成分積分装置１２で帯域の高い成分が多かった画面では、８の水平拡大フィルタ、９の垂直拡大フィルタ、１１の斜め方向拡大フィルタのタップ数を少なくすることにより、エッジの連続性のない画素同士の組み合わせで拡大処理がなされる可能性を小さくする。
【００４５】
このような構成により、本発明では１画像全体の周波数成分の集計結果から、拡大フィルタに使用するフィルタ特性（フィルタタップ数とフィルタ係数）を切り替えることによって、拡大前画像の周波数特性に適した拡大方法を選択することができる。
【００４６】
（実施の形態３）
次に発明の実施の形態３について図８を用いて説明する。図８の１〜７、１１は実施の形態１で使用されたものと同じ構成であり同じ動作を行うため説明を省略する。ここで、実施の形態３は実施の形態１に加えて、フィルタ構成画素選択装置１３を備えている点が異なる。
【００４７】
ここで、このフィルタ構成画素選択装置１３は、周辺対象画素調査６によって対象となる組み合わせのさらに先の延長上の一定数の画素のパターン番号が、周辺対象画素調査６によって選択された対象となる組み合わせの画素のパターン番号と同じもしくは近い値を持っている場合は、その延長上の画素についてもフィルタの対象とし、一方、延長上の画素のパターン番号が周辺対象画素調査６によって選択された対象となる組み合わせの画素のパターン番号と違うものであれば、周辺対象画素調査６によって選択された対象となる組み合わせの画素のみをフィルタの対象とするという処理を行う。
【００４８】
このフィルタ構成画素選択装置１３によって選択されたフィルタ対象の画素は、水平拡大フィルタ８、垂直拡大フィルタ９、斜め方向拡大フィルタ１０に入力され、フィルタ対象の画素数に応じたタップ数のフィルタによって拡大処理が行われる。
【００４９】
このような構成により、本発明は１画像内においてエッジの連続画素数によって拡大フィルタに使用するフィルタ特性（フィルタタップ数とフィルタ係数）を切り替えることにより、画像の部分的な周波数特性に対応し、相関の高い画素のみを選択して画像拡大時に補間される画素を作り出すことを可能とする。
【００５０】
なお、特許請求の範囲においては、語句の簡単化のため、実施の形態における「水平エッジ成分抽出フィルタ１」を「水平エッジ抽出回路」とし、実施の形態における「垂直エッジ成分抽出フィルタ２」を「垂直エッジ抽出回路」とし、実施の形態における「水平エッジ成分抽出フィルタ１及び垂直エッジ成分抽出フィルタ２」を総称して「エッジ抽出回路」とし、実施の形態における「水平エッジパターン化装置３」を「水平パターン化回路」とし、実施の形態における「垂直エッジパターン化装置４」を「垂直パターン化回路」とし、実施の形態における「水平エッジパターン化装置３及び垂直エッジパターン化装置４」を総称して「パターン化回路」とし、実施の形態における「補間画素のエッジ情報補間装置５」を「補間回路」とし、実施の形態における「周辺対象画素調査装置６」を「検出回路」とし、実施の形態における「水平拡大フィルタ８」を「水平拡大回路」とし、実施の形態における「垂直拡大フィルタ９」を「垂直拡大回路」とし、実施の形態における「水平拡大フィルタ８及び垂直拡大フィルタ９」を総称して「拡大回路」とし、実施の形態における「斜め方向拡大フィルタ１０」を「斜め拡大回路」とし、実施の形態における「セレクタ１１」を「選択回路」とし、実施の形態における「周波数成分積分装置１２」を「積分回路」とし、実施の形態における「フィルタ構成画素選択装置１３」を「画素選択回路」表現することとした。
【産業上の利用可能性】
【００５１】
本発明は、デジタル表示ディスプレイに対して、その表示画素数よりも小さな標本化数のデジタル映像信号を表示画素数まで拡大して表示するために行う映像信号拡大スケーリング処理に関するものである。
【図面の簡単な説明】
【００５２】
【図１】本発明の映像スケーリング装置の構成を示す図
【図２】本発明のエッジパターン化した値を示す図
【図３】本発明の拡大前における映像をパターン化した数値を示す図
【図４】本発明の拡大後におけるフィルタリングの方向を示す図
【図５】本発明の拡大後における補間画素のエッジ補間情報を示す図
【図６】本発明の周辺対象画素調査装置における調査処理を示す図
【図７】本発明の映像スケーリング装置の構成を示す図
【図８】本発明の映像スケーリング装置の構成を示す図
【符号の説明】
【００５３】
１    水平エッジ成分抽出水平フィルタ装置
２    垂直エッジ成分抽出垂直フィルタ装置
３    水平方向エッジパターン化装置
４    垂直方向エッジパターン化装置
５    補間画素のエッジ情報補間装置
６    周辺対象画素調査装置
７    水平拡大／垂直拡大補間位置生成装置
８    水平拡大フィルタ
９    垂直拡大フィルタ
１０    斜め方向拡大フィルタ
１１    セレクタ
１２    周波数成分積分装置
１３    フィルタ構成画素選択装置
【図１】
2008271085.tif 000003
【図２】
2008271085.tif 000004
【図３】
2008271085.tif 000005
【図４】
2008271085.tif 000006
【図５】
2008271085.tif 000007
【図６】
2008271085.tif 000008
【図７】
2008271085.tif 000009
【図８】
2008271085.tif 000010